(57)【要約】      （修正有）【課題】室内の空調装置を太陽光エネルギーと上昇気流を利用することによりエネルーの無駄遣いを抑制し自然のメカニズムにより健康で快適な生活空間を作り上げる。【解決手段】室温を下げる場合、天井の一部または全面を開き、吹き抜け天井とし室内最上部に施した開閉窓より換気する。一方室温を上げる場合は、天井の一部又は全面を閉じて、上昇されていた熱気を下部へ押し下げ、吹き抜け部分を無くし室内上部面積を小さくする。以上の事から高温期には、吹き抜け天井により上昇気流がおこり室温を下げることが出来ることとともに、室内最上部に施された窓より太陽光がえられる。また寒冷期の晴天時には、最上部に施された窓より、太陽エネルギーが差し込み室温を上げることが出来る。【選択図】図２
0003125976.tif 000002
【実用新案登録請求の範囲】
【請求項１】
高温多湿期に室内の温度が上昇した際、天井部の一部もしくは全面を自動または手動にて開き、吹き抜け天井とすることにより、室内の熱気等を室内最上部開閉窓から上昇排出させるとともに、太陽光を取り入れながら新鮮な空気を下部から入れる事と、寒冷期には上部窓より太陽光を取り入れ室温を上げる。また夜間、雨天等の太陽光が射さない場合の室温低下時には、天井部をもとの低い位置に戻すことにより、吹き抜け天井部を無くし、吹き抜け天井部の熱損失を抑える様に考案した可動天井開閉吹き抜け装置。
【考案の詳細な説明】
【技術分野】
【０００１】  本考案は、エネルギー対策として、室内の熱気を天井の一部または全面を開閉することにより排出させ、下部から上昇気流により新鮮な空気を取り入れたり、天井を開閉することで太陽光を入れたり、放熱を遮断したり、時々の気候条件により太陽光等自然エネルギーを利用した室内空調に関する技術。
【背景技術】
【０００２】  従来の天井は、通常、壁面等に固定していて天井自体を移動することにより空調装置としては利用してはいなかった。室内の空調に付いては喚起扇、窓を開閉、或は電気等の空調設備によるものであった。しかしこのような方法では、電気エネルギーを必要とされる。
【考案の開示】
【考案が解決しようとする課題】
【０００３】  通常、室温を下げる場合、換気扇による強制換気によって室温を下げるか、冷房装置等により室温をさげる。一方室温を上げる場合、窓等からの太陽エネルギーによるか、暖房装置による室内温度調整が必要である。しかしこの様な方法では、エネルギーを無駄にするばかりか、大気汚染につながってくることが課題であった。
【課題を解決するための手段】
【０００４】  そこで本考案は、室温を下げる場合、天井の一部もしくは全面を自動もしくは手動で開き、吹き抜け天井として最上部に施した窓を自動または手動にて開き熱気を換気する。また、室温の低下を抑える場合は、天井の一部又は全面を閉じ、上昇されていた熱気を下部へ押し下げ吹き抜け部分を無くし室内上部面積を小さくする。【０００５】  このことにより、高温期には、吹き抜け天井により上昇気流をおこし、上部窓より熱気を放出することで室温を下げることが出来ることとともに、最上部に施された窓より太陽光が得られる。【０００６】  一方寒冷期の晴天時においては、最上部に施された窓より太陽光が差し込み室温を上げることとなり、更に夜間の温度低下時には、吹き抜け天井の一部又は全面を閉じることにより室温の低下を最小限に抑えることができた。
【考案の効果】
【０００７】  以上要するに、この考案では室内の空調装置を太陽光エネルギーと上昇気流を利用することによりエネルーの無駄遣いを抑制し自然のメカニズムにより健康で快適な生活空間を作り上げることが出来た。
【考案を実施するための最良の形態】
【０００８】  即ち、この考案によれば、吹き抜け天井のメリットである太陽光をふんだんに取り入れる事と上昇気流が生まれ自然換気が出来る事。【０００９】  また、通常の低い天井のメリットについては寒冷期において、天井空間が少ないため熱損失は抑えられる。そのため天井を開閉する事によりに両方のメリットを有することとなる。
【実施例】
【００１０】  以下図示の実施例に基づいてこの考案を詳細に説明する。図１において天井が閉じている状態を説明すると、寒冷期等太陽光が無く室内温度が低くなっている場合、太陽光により光センサー７ａの信号により光センサーリレー１０ａが働き天井パネル３ａは、天井パネル３ａに取り付けられた天井パネル昇降牽引ワイヤー２ａに連結されている天井パネル巻き上げ機１ａにより定位置に降ろされる。【００１１】  この際、天井パネル駆動下降停止スイッチ５ａにより、天井パネル巻き上げ機１ａは停止すると同時に上部開閉窓６ａは、自動もしくは手動にて閉じることとなる。【００１２】  一方、図２において太陽光がある場合、光センサー７ａの信号により光センサーリレー１０ａの働きにより天井パネル３ａは、天井パネル巻き上げ機１ａにより上昇位置に揚げられる。【００１３】  この際、天井パネル駆動上昇停止スイッチ９ａにより、天井パネル巻き上げ機１ａは停止すると同時に上部開閉窓６ａは、自動又は手動で開くこととなる。【００１４】  さらに、天井パネル昇降機光センサー自動手動スイッチ１２ａにより任意に手動による天井パネル３ａの昇降は可能である。【００１５】  勿論、図面では天井パネル３ａの一方を天井パネル蝶番４ａで通常天井部位に固定しているが天井パネル３ａを全面上部へ移動もしくは、スライドして天井を開閉することも考えられる。
【産業上の利用可能性】
【００１６】  一酸化炭素による地球の温暖化は、世界的問題をひきおこしている。化石エネルギーを使用しないで現時点のエネルギーは、現時点の自然エネルギーを慣用することが必要であって空調設備による電気等エネルギー消費は大きく大気汚染につながる。今後環境にやさしいクリーンハウス等に使用が出来ると思われるので産業上の利用可能性は大なるものがある。
【図面の簡単な説明】
【００１７】
【図１】  この説明の実施例を示す可動天井開閉吹き抜け装置、天井パネル下降時、側面図
【図２】  この説明の実施例を示す可動天井開閉吹き抜け装置、天井パネル上昇時、側面図
【符号の説明】
【００１８】  １ａ天井パネル巻き上げ機
２ａ天井パネル昇降牽引ワイヤー
３ａ天井パネル
４ａ天井パネル蝶番
５ａ天井パネル駆動下降停止スイッチ
６ａ上部開閉窓
７ａ光センサー
８ａ天井パネル断熱材
９ａ天井パネル駆動上昇停止スイッチ
１０ａ光センサーリレー
１１ａ天井パネル昇降機主スイッチ
１２ａ天井パネル昇降機光センサー自動手動スイッチ
１３ａ下部開閉窓
１４ａ吹き抜け天井部
１５ａ通常天井部
【図１】
0003125976.tif 000003
【図２】
0003125976.tif 000004
【手続補正書】
【提出日】平成18年7月12日(2006.7.12)
【手続補正１】
【補正対象書類名】実用新案登録請求の範囲
【補正対象項目名】全文
【補正方法】変更
【補正の内容】
【実用新案登録請求の範囲】
【請求項１】
室内等で天井部の天井パネルを電動モーター等巻上げ機にて天井パネルを上下させる装置と室内等開閉窓からなる吹き抜け天井において、
（１）室内の上部と下部を仕切るための天井パネルと天井パネルを持ち上げる巻上げ機及び巻上げ機を制御するスイッチと開閉窓を形成し、
（２）太陽光の取り入れや空気の給排出をするため開閉窓を施し新鮮な空気を下部開閉窓からとりいれ上部開閉窓から対流により排出する構造とし、
（３）太陽光と室内温度を感知するセンサーと開閉窓及び天井パネルにより空調構造で、
（４）高温多湿期には天井を上げることにより熱気は対流により上昇し上部窓より吹き抜け室温を下げる構造とし、
（５）寒冷期雨天には天井を下げることにより室内空間を少なくし放熱する壁面を小さくした構造、
以上の構造からなる可動天井開閉吹き抜け装置。
【手続補正２】
【補正対象書類名】図面
【補正対象項目名】全図
【補正方法】変更
【補正の内容】
【図１】
0003125976.tif 000005
【図２】
0003125976.tif 000006